(57)【要約】      （修正有）【課題】電池群間の温度差を小さくした電池パックを提供する。【解決手段】電池缶側面と電池缶側面とつながる電池缶底面４を有する蓄電池を複数個電池缶側面を対向させて積層させた第一の電池群１０Ａと、電池缶側面と電池缶側面とつながる電池缶底面４を有する蓄電池を複数個電池缶側面を対向させて積層させた第二の電池群１０Ｂと、第一の電池群１０Ａ及び第二の電池群１０Ｂを収納する筐体を備え、第一の電池群１０Ａと第二の電池群１０Ｂとは互いに対向面同士を直接又は間接的に熱的に接続する、電池パック。第一電池群１０Ａと第二電池群１０Ｂとの間に第一熱伝達部材６が配置され、更に第一熱伝達部材６と第二熱伝達部材の間に第一電池群１０Ａが挟持され、第１熱伝達部材６と第三熱伝達部材の間に第二電池群１０Ｂが挟持されている、電池パック。【選択図】図２
2018170070.tif 000002
【特許請求の範囲】
【請求項１】
電池缶側面と前記電池缶側面とつながる電池缶底面を有する蓄電池を複数個前記電池缶側面を対向させて積層させた第一の電池群と、
電池缶側面と前記電池缶側面とつながる電池缶底面を有する蓄電池を複数個前記電池缶側面を対向させて積層させた第二の電池群と、
前記第一の電池群及び第二の電池群を収納する筐体を備えた電池パックにおいて、
前記第一の電池群と前記第二の電池群とは互いに対向面を同士が直接または間接的に熱的に接続されることを特徴とする電池パック。
【請求項２】
請求項１に記載の電池パックにおいて、
前記第一の電池群と前記第二の電池群との間には第一の熱伝達部材が配置され、
前記熱伝達部材は、前記第一の電池群と前記第二の電池群とに互いに密着されることを特徴とする電池パック。
【請求項３】
請求項１または２に記載のいずれかに記載の電池パックにおいて、
当該電池パックは、第二の熱伝達部材と、第三の熱伝達部材を有し、
前記第一の電池群は前記第一の熱伝達部材と前記第二の熱伝達部材に挟持され、
前記第二の電池群は、前記第一の熱伝達部材と前記第三の熱伝達部材に挟持され、
前記第二の熱伝達部材及び前記第三の熱伝達部材は、前記第一の熱伝達部材よりも厚さが厚いことを特徴とする電池パック。
【請求項４】
請求項１乃至３のいずれかに記載の電池パックにおいて、
当該電池パックは、第二の熱伝達部材と、第三の熱伝達部材を有し、
前記第一の電池群は前記第一の熱伝達部材と前記第二の熱伝達部材に挟持され、
前記第二の電池群は、前記第一の熱伝達部材と前記第三の熱伝達部材に挟持され、
前記前記第一の熱伝達部材は、第二の熱伝達部材及び前記第三の熱伝達部材よりも厚さが薄いことを特徴とする電池パック。
【発明の詳細な説明】
【技術分野】
【０００１】
本発明は、電池パックに関する。
【背景技術】
【０００２】
近年、環境規制を背景に車載用二次電池への需要が高まっている。この中で、リチウムイオン二次電池は一般に、鉛電池やニッケル水素電池などに比べて放電電位が高いため、小型・高エネルギー密度化が可能であるため有望視されている。本格適用に向けてリチウムイオン二次電池に求められる点には例えば、更なる高エネルギー密度化、高出力密度化、長寿命化等があげられる。電池を高出力化するためには高電位化とともに、例えば、大電流を電池から入・出力させる事が有効である。しかし大電流を電池から入・出力させる場合、電池の内部抵抗に由来する発熱が電池内部で生じる。発生した熱を十分に電池から取り除く事ができなかった場合、電池温度が上昇する。リチウムイオン電池の電池容量や内部抵抗等の電池特性は、電池温度によって劣化傾向が異なり、特に電池温度が高ければ高いほど電池特性が低下する事が多い。そこで、電池の放熱性能を向上させる技術開発が必要となっている。
【０００３】
複数のリチウムイオン単電池（以下、単電池と呼ぶ）が組み合わされ、電池群として用いられる場合（例えば、電池モジュール、電池パックとして使用する場合）、電池群中の単電池間の温度差を小さくする事が望まれる。これは、単電池間での温度差が大きい場合、単電池間で劣化の差が生じやすいためである。電池群の特性は、電池群に含まれる単電池の中で最も劣化した電池の特性に律速される傾向があるため、特定の電池が劣化する構造をさけた電池群の設計が必要である。
【０００４】
そこで、複数の単電池が組み合わされて形成された電池群において、単電池間の温度差を小さくする技術が開発されている。具体的には特許文献１には単電池を収容した電槽が幅の狭い短側面と幅の広い長側面とからなる直方体に形成されてなり、この電槽の前記短側面間で隣接させて複数の単電池を連結して所要電力容量の集合電池に形成した蓄電池が記載されている。
【０００５】
一方で大電流を電池から入・出力させる場合、電池に接続するケーブルの断面積も大きくする必要がある。ケーブルに用いられる部材としては銅に代表される金属が用いられているが、金属は一般に熱伝導率が高いために放熱性能が高い。
【先行技術文献】
【特許文献】
【０００６】
【特許文献１】特開２０００−１６４１８６号公報
【発明の概要】
【発明が解決しようとする課題】
【０００７】
特許文献１に記載の技術においては、それぞれの単電池の電槽の長側面に複数のリブが形成されている。そして、このリブ間に空気等を強制流通させることにより、単電池の冷却が行われている。このような構成では、冷却効率が低下した場合（例えば強制流通させる空気の流量が小さい場合や、入出力電流が大きく単電池の発熱量が大きい場合）、構成される電池群内の電池温度に分布が生じ、特に電池群の長側面の中心付近に配置された単電池の電池温度が高く、劣化が進む恐れがある。本発明は、前記課題に鑑みてなされたものであり、電池群間の温度差が小さい電池パックを提供する事を課題とする。
【課題を解決するための手段】
【０００８】
本発明に記載の電池パックは、電池缶側面と電池缶側面とつながる電池缶底面を有する蓄電池を複数個電池缶側面を対向させて積層させた第一の電池群と、電池缶側面と電池缶側面とつながる電池缶底面を有する蓄電池を複数個電池缶側面を対向させて積層させた第二の電池群と、第一の電池群及び第二の電池群を収納する筐体を備え、第一の電池群と第二の電池群とは互いに対向面を同士が直接または間接的に熱的に接続されることを特徴とする。
【発明の効果】
【０００９】
本発明によれば、電池群間の温度差を小さくした電池パックを提供することができる。
【図面の簡単な説明】
【００１０】
【図１】実施例１における電池群の具体的な構成の一例を説明するための図
【図２】実施例２における電池群の具体的な構成の一例を説明するための図
【図３】実施例５における電池群の具体的な構成の一例を説明するための図
【図４】実施例６における電池群の具体的な構成の一例を説明するための図
【図５】実施例７における電池群の具体的な構成の一例を説明するための図
【図６】比較例１における電池群の具体的な構成の一例を説明するための図
【図７】比較例２における電池群の具体的な構成の一例を説明するための図
【図８】実施例１，２の構成と従来構成との各単電池温度の環境温度からの温度上昇を、電池群の中での最低温度からの比率で示した温度上昇比率図。
【図９】実施例３，４の構成と従来構成との各単電池温度の環境温度からの温度上昇を、電池群の中での最低温度からの比率で示した温度上昇比率図。
【図１０】実施例５，６の構成と従来構成との各単電池温度の環境温度からの温度上昇を、電池群の中での最低温度からの比率で示した温度上昇比率図。
【図１１】実施例７の構成と従来構成との各単電池温度の環境温度からの温度上昇を、電池群の中での最低温度からの比率で示した温度上昇比率図。
【図１２】図２の電池パックを上面から見た図
【図１３】図１２の一つ目の変形例。
【図１４】図１２の二つ目の変形例。
【図１５】本発明の二次電池の斜視図。
【発明を実施するための形態】
【００１１】
本発明を実施するための形態について説明する。ただし、本実施形態は以下の内容に何ら制限されるものではなく、本発明の要旨を逸脱しない範囲内で任意に変更して実施可能である。
【００１２】
本実施形態について詳細に説明する。本実施形態における二次電池には、リチウムイオン二次電池を用いたが、本構成を他の種類の蓄電池に対しても適用できる。またリチウムイオン二次電池の構成部材はどのようなものであっても効果が得られる。つまり本発明では正極としてＡｌ集電箔と層状構造を持つ正極材などからなる電極と、負極としてＣｕ集電箔と炭素材料からなる電極を用いているが、その他の構成でも良い。例えば実施例３，４にも記載のとおり、負極にＡｌ箔を用いた場合においても放熱性を向上可能である。冷却環境は例示でありその他の冷媒を用いた場合にも適用できる。またリチウムイオン電池の形状として本実施例では角形電池を用いたが、その他の形状として知られる例えばラミネート型、円筒型等電池であっても効果が得られる。
【００１３】
単電池を電池群とする際には単電池同士を直列あるいは並列接続する。この際、安全性を担保するため、単電池の周囲に対し、例えば実施例７に示すように、電池間に絶縁を確保できる部材を導入してもよい。前記部材の形状は自由であり、素材も自由に選択することができるが、好ましくは熱伝達部材が含まれると良い。単電池同士を直列あるいは並列接続する場合、用いる配線は特に限定されないが、例えばバスバーが挙げられる。直列あるいは並列接続の形式がどの様であっても、本発明にかかる電池配置および外部端子の構成を用いれば効果が現れる。例えば、２並列にした電池群を６直列にしたような電池群であっても本発明における効果が得られる。また電池群は、単電池同士を電気的に直列あるいは並列接続することに加え、固定用の治具を用いて単電池同士を物理的に拘束することが好ましい。ただし拘束の方法には本発明は限定されない。例えば、二つの電池群を固定用の治具一セットを用いて固縛した場合でも、固縛用の治具２セットを用いて固縛した場合でも効果が表れた。
【００１４】
本発明では上述する手段で接続されてなる第一の電池群と第二の電池群を基本構成として電池パックを構成するが、電池パックにはこれらに加えてさらに、電池の制御装置（例えば、Ｂａｔｔｅｒｙ  Ｍａｎａｇｅｍｅｎｔ  Ｓｙｓｔｅｍ  ；  ＢＭＳなどがあげられる）や、安全機構（例えばヒューズなど）を具備しても良く、これらを前記電池群中の配線に接続しても本発明における効果が得られる。
【００１５】
筐体底面と電池群同士の接触方法は特に限定されず、例えば接着剤などによる接着や、ボルトやナットを用いて固定器具を介しての接続でも本発明における効果はあらわれる。筐体の形状は本実施形態においては直方体を例示するが、その形状は特に限定されない。また本発明における効果は電池パックへの電流印加条件や冷却条件に限定されない。
【００１６】
以下、実施例及び比較例に基づいて、本発明をさらに詳細に説明する。図１は本発明の電池パック１００の分解斜視図である。なお、以降の説明で上下左右前後という場合には、各図面の左下に記載の方向に従うものとする。
【００１７】
電池パック１００は、第一の電池群１０Ａと第二の電池群１０Ｂと、第一の電池群１０Ａ及び第二の電池群１０Ｂを収納する筐体５（５ａ、５ｂ）からなる。この筐体５は、ケース５ａとケース開口を塞ぐ蓋５ｂからなる。なお、本実施形態では底面５ｂを別部材としたが、ケース５ａに底面を設けて上面に開口を備える構造として、上面側に蓋５ｂを配置する構造としてもよい。
【００１８】
図１５は本発明で使用される蓄電池１を示す図である。蓄電池１は一対の幅広面１ａ、一対の幅狭面１ｂ、底面１ｃ、蓋１ｄからなる。蓋１ｄには正極外部端子２ａ及び負極外部端子２ｂが設けられる。
【００１９】
再び図１に戻って、第一の電池群１０Ａ、第二の電池群１０Ｂをそれぞれ説明する。
第一の電池群１０Ａは蓄電池１の幅広面１ａを互いに対向させて複数個（本実施形態では６個）積層させたものである。第二の電池群１０Ｂについても第一の電池群１０Ａ同様、蓄電池の幅広面を対向させて積層した構造となっている。
【００２０】
第一の電池群１０Ａを構成する蓄電池１は、バスバー２で互いに直列に接続されている。また、第二の電池群１０Ｂも同様に、蓄電池１がバスバー２で互いに直列に接続されている。また、第一の電池群１０Ａの底面５ｂ側の蓄電池１と、第二の電池群１０Ｂｎｏ底面５ｂ側の蓄電池１は互いにバスバー２で接続される構造となっている。そして二つの電池群１０Ａ、１０Ｂはそれぞれ電池パック１００の上面中央側に電池パック１００に収納されるその他の電子部品（たとえばジャンクションボックス等）と接続される外部端子３が配置されるようになっている。本発明ではいくつかの置き方（図１から図７）で電池パック１００の温度変化を測定した。
【００２１】
（実施例１）
まず実施例１について説明する。第一の電池群と第二の電池群を図１のように平置きにした後に、熱的に直接接続させた後、正極外部端子及び負極外部端子の先に直径９５ｍｍの銅製のＨＶケーブルを取り付けて電流を印加した。この際の電池からの発熱量は平均して３Ｗであった。
【００２２】
また、冷却条件としては電池群下部にある筐体を介した底板にのみ５ｍ／ｓｅｃの風速の空気をあてた。図１では筐体上面を示す。図８に本条件を電池パックに与えた後、ほぼ定常状態となった際の結果を示す。
【００２３】
（実施例２）
続いて実施例２について説明する。実施例２は実施例１と比較して、第一の電池群と第二の電池群を平置きにした後に、平板状の熱伝導部材４を介している点が異なる。
【００２４】
図２に本実施例の構造を示す。本実施例では上述の通り、第一の電池群１０Ａと第二の電池群１０Ｂとの間に熱伝導部材４を配置した。この熱伝導部材の厚みは厚さ３ｍｍと１５ｍｍの２つを用意し、それぞれを用いた場合の電池パック１００の温度上昇を測定した。その結果は図８に示す。なお、冷却条件や電流印加条件は実施例１と同様である。
【００２５】
（実施例３）
続いて実施例３について説明する。実施例３は実施例１と比較して、負極集電箔の材料を銅箔からアルミ集電箔を用いた点が異なる。
【００２６】
具体的な電池パック１００の構造は図１と同様の配置関係なので説明を省略する。電池パック１００の温度上昇の結果は図９に記載する。なお、冷却条件や電流印加条件は実施例１と同様である。
【００２７】
（実施例４）
続いて実施例４について説明する。実施例４は実施例２と比較して、負極集電箔の材料を銅箔からアルミ集電箔を用いた点が異なる
具体的な電池パック１００の構造は図２と同様の配置関係なので説明を省略する。本実施形態では、熱伝導部材４には厚さ１５ｍｍの部材を用いている。電池パック１００の温度上昇の結果は図９に記載する。なお、冷却条件や電流印加条件は実施例１と同様である。
【００２８】
（実施例５）
続いて実施例５について説明する。実施例５は実施例１と比較して、第一の電池群１０Ａと第二の電池群１０Ｂを図３のように縦置きにして電池群を構成する蓄電池の幅狭側面を電池パック１００の筐体５の底面に接触させた点が異なる。
電池パック１００の温度上昇の結果は図１０に記載する。なお、冷却条件や電流印加条件は実施例１と同様である。
【００２９】
（実施例６）
続いて実施例６について説明する。実施例６は実施例２と比較して、第一の電池群と第二の電池群を図４のように縦置きにし電池群を構成する蓄電池の幅狭側面を電池パック１００の筐体５の底面に接触させた点が異なる。
また、本実施例では熱伝導部材４の厚みは実施例２と同様、厚さ３ｍｍのものと厚さ１５ｍｍのものを２つ用意し、それぞれの測定結果を図１０に示す。なお、冷却条件や電流印加条件は実施例１と同様である。
【００３０】
（実施例７）
続いて実施例７について説明する。本実施例は実施例１から６とは異なり、蓄電池１をそれぞれ６直列にした第一の電池群と第二の電池群を互いに直列に接続し、蓄電池１の底面が電池パック１００の筐体の底面５ｂと接触するように設けられた構造となっている。なお、本実施形態でも第一の電池群１０Ａと第二の電池群１０Ｂの間には熱伝導部材４を配置する。熱伝導部材４に板厚１５ｍｍのアルミニウム平板を用いている。電池パック１００の温度上昇の結果は図１１に記載する。なお、冷却条件や電流印加条件は実施例１と同様である。
【００３１】
（比較例１）
続いて比較例１について説明する。比較例１は実施例１から７とは異なり、電池群を２つに分けず、単一の電池群として積層させている点が異なる。
【００３２】
図６は比較例１の電池パック１００の図である。１２個の電池１を直列につなげることで単一の電池群とし、それを単電池１の幅広面１ａが筐体５の底面５ｂに接触するように配置している。電池パック１００の温度上昇の結果は図８及び図９に記載する。なお、冷却条件や電流印加条件は実施例１と同様である。
【００３３】
（比較例２）
続いて比較例２について説明する。比較例２は実施例１から７とは異なり、電池群を２つに分けず、単一の電池群として積層させており、さらに単電池１の幅狭面１ｂが筐体５の底面５ｂと接触している点が異なる。
【００３４】
図７は比較例２の電池パック１００の図である。１２個の電池を直列につなげることで単一の電池群とし、それを単電池１の幅狭面１ｂが筐体５の底面５ｂに接触するように配置している。電池パック１００の温度上昇の結果は図１０及び図１１に記載する。なお、冷却条件や電流印加条件は実施例１と同様である。  以下、実施例と比較例の結果に基づき本特許の効果を説明する。
【００３５】
本実施例や比較例に示す条件を電池群に与えた結果、電池群の温度はほぼ定常状態に達した際に、環境温度に比べて電池温度が上昇した。図８〜１１は、電池群中の各単電池が、環境温度に対する上昇温度を、温度上昇が最も小さかった単電池の上昇温度との比率を電池毎に示した図である。図中のセルＮｏは、それぞれの実施例や比較例に対応する図に記載されているセルＮｏと対応している。この際、実施例における二つの電池群について、電池群同士で対向した場所に存在する単電池同士は、温度がほぼ同じであったために簡単のために記載を省略した。以下に各図の結果について詳細に説明する。
【００３６】
図８には比較例１とおなじく平置きにした電池配置に対し本発明を適用した例である、実施例１〜２の構成の温度上昇比率を示す。図から従来の構成である比較例では電池を積層させた中心部分であるセルＮｏ．７の温度が最大となる事が分かる。これはセルＮｏ．７付近の電池では、周囲の電池で発生した熱量が放熱されないため、自身の電池温度だけでなく周囲の電池温度も高くなっており、温度差がつかないために熱が流れにくくなり、結果として電池温度が高くなっているためである。一方で筐体底面に接しているセルＮｏ１の単電池や外部端子が存在するセルＮｏ１２の電池は放熱経路が存在するために温度上昇が抑制されている。以上の結果から、セルＮｏ１やセルＮｏ１２とセルＮｏ７の上昇温度に差が表れたため、比較例１では同じ電池群の中でも温度上昇比率が大きく変化した。従って比較例１では単電池間の温度に差が表れやすい事が分かる。
【００３７】
一方で、図８には同時に、本発明の実施例を示す。本発明では電池間の温度上昇率を同じ配置に存在する全セルにおいて比較することから比較例に比べ全セルにおいて温度上昇率が低減できると分かる。また実施例２に示すように電池群の間に熱伝達部材を配置することでさらにその効果が現れ、電池間の温度差が緩和されることが分かる。これは、外部端子を最も温度が高くなるセルＮｏ６に配置することで効果的に放熱経路が確保できていることを意味している。加えて、実施例２ではＡｌ板を導入することでも放熱経路が確保できるため有効に電池間の上昇温度差を低減できたことが分かる。
【００３８】
図９には比較例１と同じく平置きにした電池構成に対して本発明を適用した例である、実施例３〜４の構成の温度上昇率を示す。図から負極集電箔をＡｌとした場合にも図８で示したのと同様に、電池間の温度差が緩和される傾向があることが分かる。図９で起きた熱挙動は図８で起きたのと同じ現象に起因するものである。
【００３９】
図１０は比較例２と同じく縦置きにした電池構成に対して本発明を適用した例である、実施例５〜６の構成を示す。図から、従来の構成である比較例では電池を積層させた中心部分であるセルＮｏ．６の温度が最大となる事が分かる。ここで起きている温度上昇は図８に示した比較例１であらわれた挙動と同じ現象に起因するものである。
【００４０】
更に図から、縦置きとした場合にも図８〜９と同様に電池間の温度差が緩和されることが分かる。平置きではなく縦置きにした場合も、長側面の中心付近の温度が高くなる傾向がある。その部分に外部端子および外部端子を配置することで、図８，９と同様の効果が得られ、上昇温度差が低減できたと分かる。
【００４１】
図１１は比較例２と同じく縦置きにした電池構成に対して、実施例７に示した構成で本発明を適用した場合の温度差を比較する。図から、本発明でも温度差が緩和される傾向があることが分かる。実施例７でも、電池温度が最も高温となるセルＮｏ６に外部端子を設置することで電池群外部に有効に放熱できたためであると分かる。
【００４２】
本発明に記載の電池パックは、電池缶側面（１ａ、１ｂ）と電池缶側面（１ａ、１ｂ）とつながる電池缶底面（１ｃ）を有する蓄電池（１）を複数個前記電池缶側面（１ａ、１ｂ）を対向させて積層させた第一の電池群（１０Ａ）と、電池缶側面（１ａ、１ｂ）と電池缶側面（１ａ、１ｂ）とつながる電池缶底面（１ｃ）を有する蓄電池（１）を複数個前記電池缶側面（１ａ、１ｂ）を対向させて積層させた第二の電池群（１０Ｂ）と、第一の電池群（１０Ａ）及び第二の電池群（１０Ｂ）を収納する筐体（５）を備え、第一の電池群（１０Ａ）と第二の電池群（１０Ｂ）とは互いに対向面を同士が直接または間接的に熱的に接続されることを特徴とする。このような構造にすることによって、電池群間の温度差を小さくした電池パックを提供することができる。
【００４３】
また、本発明では二つの電池群の幅広面（１ａ）を筐体（５）の底面と対向させるような構造にした。このような構造にすることによって、冷却面積が大きくなり、幅狭面１ｂを筐体５と接触させるよりも冷却性能が向上する。
【００４４】
また、本発明に記載の電池パックでは、電池１の幅広面１ａを下にした場合、外部端子３を電池パックの中央側とすることによって、より熱が逃げにくい電池パックの中央側の冷却を、外部端子を介して行うことができる。そのため、より放熱性が向上し、電池群間の温度差を小さくした電池パックを提供することが可能となる。
【００４５】
また、図１２に示す通り、本発明に記載の電池パックでは、第一の電池群（１０Ａ）と前記第二の電池群（１０Ｂ）との間には第一の熱伝達部材（６）が配置され、熱伝達部材（６）は、第一の電池群（１０Ａ）と第二の電池群（１０Ｂ）とに互いに密着される。このような構造にすることによって、熱伝達部材により、より熱拡散を促し、電池群間の温度差を小さくした電池パックを提供することができる。なお、図１２は図２を上面から見た図である。
【００４６】
また、本発明に記載の電池パックでは、図１３に示す通り、第一の電池群１０Ａと第二の電池群１０Ｂの両脇に第二の熱伝達部材６１及び第三の熱伝達部材６２を配置してもよい。この場合、第一の電池群１０Ａは熱伝達部材６と第二の熱伝達部材６１で挟まれ、第二の電池群１０Ｂは熱伝達部材６と第三の熱伝達部材１０Ｂで挟まれることとなり、電池群１０Ａ及び１０Ｂの両側でも放熱性が向上し、より電池群間の温度差を小さくした電池パックを提供することが可能となる。
【００４７】
また、本発明に記載の電池パックでは、第二の熱伝達部材６１と第三の熱伝達部材６２が共に第一の熱伝達部材６よりも幅が大きなものを用いる構造となっている。このような構造にすることによって、筐体５と熱伝達部材６１及び６２をねじ等で止められるだけ大きな構造となり、筐体５と熱伝達部材６１、６２をよりしっかりと密着させることができる。そのため、電池１の発熱をより筐体５に伝達しやすくなり、冷却性能が向上した電池パックを提供することが可能となる。
【００４８】
また、本発明に記載の電池パックでは、図１４に示すように他の形態として、第一の熱伝達部材６が第二の熱伝達部材６１及び第三の熱伝達部材６２よりも厚みが厚くなっている。このような構造にすることによって、最も放熱性が悪くなる二つの電池群間において、より熱拡散が促進され、冷却性能が向上した電池パックを提供することが可能となる。なお、本発明においては、上述した電池１の幅広面１ａを筐体５の底面と接触させるタイプの電池パックが、電池群間や単電池間に冷却風を流さないような自然冷却で使用した場合に非常に効果を発揮する。したがって、本発明は電池１を横置きにする構造に非常に適した発明となっている。
【００４９】
以上、本発明の実施形態について詳述したが、本発明は、前記の実施形態に限定されるものではなく、特許請求の範囲に記載された本発明の精神を逸脱しない範囲で、種々の設計変更を行うことができるものである。例えば、前記した実施の形態は本発明を分かりやすく説明するために詳細に説明したものであり、必ずしも説明した全ての構成を備えるものに限定されるものではない。また、ある実施形態の構成の一部を他の実施形態の構成に置き換えることが可能であり、また、ある実施形態の構成に他の実施形態の構成を加えることも可能である。さらに、各実施形態の構成の一部について、他の構成の追加・削除・置換をすることが可能である。
【符号の説明】
【００５０】
１  単電池
２  配線
３  外部端子
４  筐体の底面
５  筐体上面
６、６１、６２  熱伝達部材
【図１】
2018170070.tif 000003
【図２】
2018170070.tif 000004
【図３】
2018170070.tif 000005
【図４】
2018170070.tif 000006
【図５】
2018170070.tif 000007
【図６】
2018170070.tif 000008
【図７】
2018170070.tif 000009
【図８】
2018170070.tif 000010
【図９】
2018170070.tif 000011
【図１０】
2018170070.tif 000012
【図１１】
2018170070.tif 000013
【図１２】
2018170070.tif 000014
【図１３】
2018170070.tif 000015
【図１４】
2018170070.tif 000016
【図１５】
2018170070.tif 000017